(57)【要約】  本発明は、成分として、ａ）疎水性に変性されたポリカルボキシレート１〜２０質量％、ｂ）弱発泡性非イオン界面活性剤１〜３０質量％、ｃ）非水性溶剤０〜５０質量％、ｄ）可溶化剤０〜１５質量％。ｅ）酸性化剤０〜１５質量％、ｆ）アニオン界面活性剤、カチオン界面活性剤、両性イオン界面活性剤および両親媒性界面活性剤、染料、芳香剤および腐食防止剤のような１種以上の付加的添加剤０〜１０質量％、ｇ）水を含有し、合計して１００質量％になる食器洗い機用の透明リンス剤組成物に関する。【特許請求の範囲】
【請求項１】
成分として、
ａ）以下の
ａ１）モノエチレン性不飽和Ｃ３〜Ｃ１０−モノカルボン酸またはジカルボン酸またはその無水物からなる群からの少なくとも１種のモノマー２０〜８０質量％、
ａ２）一般式（Ｉ）：
【化１】
2008512532.tif 000004
（式中、
Ｒ１、Ｒ２およびＲ３は互いに独立にＨ、ＣＨ３またはＣ２Ｈ５であり、
Ｒ４は１〜６個の炭素原子を有する直鎖状、分枝状または環状の基または６〜１２個の炭素原子を有する芳香族基である）の少なくとも１種のモノマー１０〜８０質量％、および
ａ３）１０個以上の炭素原子を有するオレフィンまたはその混合物および平均して１２〜１００個の炭素原子を有する反応性ポリイソブテンからなる群から選択される少なくとも１種の他のモノマー０〜８０質量％
からなるコポリマー１〜２０質量％、
ｂ）低発泡性非イオン界面活性剤１〜３０質量％、
ｃ）非水性溶剤０〜５０質量％、
ｄ）可溶化剤０〜１５質量％、
ｅ）酸性化剤０〜１５質量％、
ｆ）アニオン界面活性剤、カチオン界面活性剤、両性イオン界面活性剤および両親媒性界面活性剤、染料、芳香剤および腐食防止剤のような１種以上の他の添加剤０〜１０質量％、
ｇ）水を含有し、合計して１００質量％になる、食器洗い機用のリンス剤組成物。
【請求項２】
コポリマーａ）においてモノマーａ１）がマレイン酸、無水マレイン酸、およびアクリル酸からなる群から選択され、モノマーａ２）がイソブテン、ジイソブテン、およびスチレンからなる群から選択され、モノマーａ３）が１−ドデセン、１−オクタデセン、Ｃ２２α−オレフィン、Ｃ２０〜Ｃ２４α−オレフィンの混合物および平均して１２〜１００個の炭素原子を有するポリイソブテンからなる群から選択される請求項１記載のリンス剤組成物。
【請求項３】
汚れ形成および沈積物を減少するための食器洗い機用のリンス剤への請求項１のコポリマーａ）の使用。
【請求項４】
食器洗い機用洗剤組成物の成分としての請求項１記載のリンス剤組成物の使用。
【発明の詳細な説明】
【技術分野】
【０００１】
本発明は食器洗い機用の透明リンス剤に関する。
【０００２】
食器洗い機中で食器を洗浄する洗浄サイクルの経過中に、脂肪および油脂成分を含む広い範囲の食品残留物からなる汚れを除去する。分離した汚れ粒子および成分を引き続く洗浄の経過中に食器洗い機の洗浄水に供給する。澄んだリンスサイクルの前に、大量の水を交換する。しかし水に分散した汚れを有するかなり少ない量の水が透明リンスサイクル中に残留し、付加的に導入される水と一緒に、イオン交換体を使用しない場合は、食器洗い機に新しい硬度のイオンが導入することがある。
【０００３】
リンス剤は主洗浄プログラム後に一般に自動的に供給される。他の可能性は、ツー・イン・ワン（２−ｉｎ−１）またはスリー・イン・ワン（３−ｉｎ−１）系と呼ばれるものを使用することである。これらの系において、透明リンスサイクルに必要であり、例えば洗剤タブレット中のリンス剤コアの形で洗剤に配合される成分を、すでに洗浄サイクルの開始時に食器洗い機に導入し、透明なリンスサイクルに必要な成分を前記サイクルに導入する。
【０００４】
透明リンスサイクルにおいて、乾燥の経過中に、水が平坦に、できるだけ食器から残留物なしに流れ、食器の表面が洗浄プログラムの終了時に残留物を含まず、汚れなく輝くことを保証することが目的である。
【０００５】
しかし透明リンスサイクルにおいて、同様に導入される汚れ残留物が十分に分散および乳化されない場合は、食器に再び沈積する。これに魅力のない沈積および表面上の皮膜形成が随伴する。更に汚れ成分の薄い沈積物がこれらの表面上の透明リンスサイクルで流出特性に不利に作用し、結果として汚れが増加することがある。これは水が食器から皮膜として急速に流れる代わりに、液滴を残し、乾燥後に汚れを形成し、しまを形成することを意味する。これらの汚れおよびしまは一方で汚れ残留物からなる。他方で、付加的に、水の硬度の結果として残留物の乾燥が生じることがある。
【０００６】
米国特許第５７３９０９９号は非イオン界面活性剤、ヒドロトロープおよびアリルアルコールアルコキシレートとアクリル酸のコポリマーを有するリンス剤組成物を開示する。
【０００７】
欧州特許第０８５１０２１号は低発泡性非イオン界面活性剤、ヒドロトロープ、ポリカルボキシレート、および燐酸エステルを有するリンス剤組成物を開示する。記載されるポリカルボキシレートはアクリル酸、メタクリル酸、マレイン酸、フマル酸およびイタコン酸のホモポリマーまたはコポリマーを含む。
【０００８】
ドイツ特許第１９５３２５４２号は非イオン界面活性剤、有機カルボン酸および所定のカチオンポリマーを有するリンス剤を開示する。
【０００９】
ドイツ特許第２００１９９１３号は非イオン界面活性剤、溶剤、ヒドロトロープ、酸性化剤および不飽和カルボン酸およびスルホン酸基含有モノマーのコポリマーを有するリンス剤を開示する。
【００１０】
従って、一方で、食器洗いで一般的な単純ポリカルボキシレートのように、水の硬度を生じる金属イオン（カルシウムおよびマグネシウムイオン）の不溶性塩を分散できるポリマーに対する要求が存在する。しかし、これに加えて、ポリマーは食器洗い中に一般的な汚れを有効に分散または乳化することができるべきである。
【００１１】
本発明の課題は、食器洗い機中で汚れがなく、沈積物がない食器を生じる、透明リンス剤組成物を提供することである。
【００１２】
前記課題は、成分として、
ａ）以下の
ａ１）モノエチレン性不飽和Ｃ３〜Ｃ１０−モノカルボン酸またはジカルボン酸またはその無水物からなる群からの少なくとも１種のモノマー２０〜８０質量％、有利に３０〜７０質量％、
ａ２）一般式（Ｉ）：
【化１】
2008512532.tif 000002
（式中、
Ｒ１、Ｒ２およびＲ３は互いに独立にＨ、ＣＨ３またはＣ２Ｈ５であり、
Ｒ４は１〜６個の炭素原子を有する直鎖状、分枝状または環状の基または６〜１０個の炭素原子を有する芳香族基である）の少なくとも１種のモノマー１０〜８０質量％、有利に１０〜５０質量％、および
ａ３）１０個以上の炭素原子を有するオレフィンまたはその混合物および平均して１２〜１００個の炭素原子を有する反応性ポリイソブテンからなる群から選択される他のモノマー０〜８０質量％、有利に５〜２０質量％
からなるコポリマー１〜２０質量％、
ｂ）低発泡性非イオン界面活性剤１〜３０質量％、有利に５〜１５質量％、
ｃ）非水性溶液０〜５０質量％、有利に５〜４０質量％、
ｄ）可溶化剤０〜１５質量％、有利に１〜１０質量％、
ｅ）酸性化剤０〜１５質量％、有利に１〜１０質量％、
ｆ）アニオン界面活性剤、カチオン界面活性剤、両性イオン界面活性剤および両親媒性界面活性剤、染料、芳香剤および腐食防止剤のような１種以上の他の添加剤０〜１０質量％、
ｇ）水を含有し、合計して１００質量％になる食器洗い機用の透明リンス剤組成物により解決される。
【００１３】
前記課題は、更に汚れ形成および沈積を減少するための食器洗い機用のリンス剤への前記のコポリマーａ）の使用により解決される。
【００１４】
本発明により使用される疎水性に変性されたポリカルボキシレートが洗浄結果を著しく高めることが判明した。低い皮膜形成および沈積物および改良された流出特性が見出される。該当するポリカルボキシレートは付加的に疎水性モノマーを含む。ポリアクリレートホモポリマーまたはマレイン酸−アクリル酸コポリマーのような通常のポリアクリレートが水の硬度をきわめて有効に分散するが、食器洗い機の進行中に生じる典型的な汚れとのその相互作用は最小である。本発明により使用されるコポリマーは食器洗い中の汚れの分散を促進し、これにより皮膜形成および沈積物が減少する。更に前記ポリマーは洗浄水または食品残留物に存在する水不溶性塩の分散を促進する。これらの塩は、例えば炭酸カルシウムまたは炭酸マグネシウムまたは燐酸カルシウムまたは燐酸マグネシウムである。
【００１５】
本発明の透明リンス剤組成物は家庭用途および工業的用途の両方に使用できる。洗剤組成物はこの関係で適当でない。燐酸塩ベース系および燐酸塩不含の洗剤の両方をリンス助剤組成物と組み合わせて使用できる。リンス助剤組成物はそれ自体食器洗い機用洗剤組成物の部分であることができる。
【００１６】
適当なモノマーａ１）は例えばマレイン酸、無水マレイン酸、アクリル酸、メタクリル酸、フマル酸、イタコン酸、およびシトラコン酸である。有利なコポリマーａ）はモノマーａ１）としてマレイン酸、無水マレイン酸およびアクリル酸からなる群から選択されるモノマーを含有する。
【００１７】
適当なモノマーａ２）は例えばイソブテン、ジイソブテン、ブテン、ペンテン、ヘキセン、およびスチレンである。他の有利なコポリマーａ）はモノマーａ２）としてイソブテン、ジイソブテン（２−メチル−３，３−ジメチル−１−ブテン）およびスチレンからなる群から選択されるモノマーを含有する。
【００１８】
適当なモノマーａ３）は少なくとも１０個、一般に１０〜２６個の炭素原子を有する。適当なモノマーａ３）は、例えば１−デセン、１−ドデセン、１−テトラデセン、１−ヘキサデセン、１−オクタデセン、１−エイコセン、１−ドコセン、１−テトラコセン、および１−ヘキサコセンである。他の有利なコポリマーａ）はモノマーａ３）として１−ドデセン、１−オクタデセン、Ｃ２２α−オレフィン、Ｃ２０〜Ｃ２４α−オレフィンおよび平均して１２〜１００個の炭素原子を有するポリイソブテンからなる群から選択されるモノマーを含有する。
【００１９】
特に有利にコポリマーａ）はマレイン酸、無水マレイン酸、およびアクリル酸から選択されるモノマーａ１）だけでなく、イソブテン、ジイソブテンおよびスチレンから選択されるモノマーａ２）および１−ドデセン、１−オクタデセン、Ｃ２２α−オレフィン、Ｃ２０〜Ｃ２４α−オレフィンの混合物および平均して１２〜１００個の炭素原子を有するポリイソブテンからなる群から選択されるモノマーａ３）も含有する。モノマーａ１）としてマレイン酸および無水マレイン酸３０〜７０質量％、モノマーａ２）としてイソブテン２０〜４０質量％およびモノマーａ３）としてオクタデセン５〜２０質量％からなるコポリマーが特に有利である。
【００２０】
本発明の透明リンス剤組成物は成分ｂ）として低発泡性非イオン界面活性剤を含有する。
【００２１】
適当な非イオン界面活性剤は一般式（ＩＩ）
Ｒ２−Ｏ−（ＣＨ２ＣＨ２Ｏ）ｐ−（ＣＨＲ１ＣＨ２Ｏ）ｍ−Ｒ３    （ＩＩ）
（式中、
Ｒ２は８〜２２個の炭素原子を有する直鎖状または分枝状アルキル基であり、
Ｒ１およびＲ３は互いに独立に水素または１〜１０個の炭素原子を有する直鎖状または分枝状アルキル基であるかまたはＨであり、Ｒ１は有利にメチルであり、ｐおよびｍは互いに独立に０〜３００であり、有利にｐは１〜５０であり、ｍは０〜３０である）を含有する。
【００２２】
式（ＩＩ）の界面活性剤はランダムコポリマーおよびブロックコポリマーであってもよいが、有利にブロックコポリマーである。
【００２３】
更にエチレンオキシドおよびプロピレンオキシドから形成されるジブロックコポリマーおよび多ブロックコポリマーを使用することができ、これらのコポリマーは例えばＰｌｕｒｏｎｉｃ（登録商標）（ＢＡＳＦ社）またはＴｅｔｒｏｎｉｃ（登録商標）（ＢＡＳＦ社）の名称で販売されている。更にソルビタンエステルとエチレンオキシドおよび／またはプロピレンオキシドとの反応生成物を使用することができる。アミンオキシドまたはアルキルグリコシドも同様に適している。適当な非イオン界面活性剤の概要は欧州特許第８５１０２３号およびドイツ特許第１９８１９１８７号に示される。
【００２４】
付加的に使用できる他の適当な非イオン界面活性剤はアルキルグリコシド、アミンオキシド、脂肪酸アルカノールアミドおよびポリヒドロキシ脂肪酸アミドであり、例えばドイツ特許第２００１９９１３号に記載されている。
【００２５】
米国特許第４３６６３２６号、４６２４８０３号、４２８０９１９号、４３４０７６６号、３９５６４０１号、５２００２３６号、５４２５８９４号、および５２９４３６５号は、Ｓｕｒｆａｃｔａｎｔｓ  Ｓｃｉｅｎｃｅ  Ｓｅｒｉｅｓ、Ｍａｒｔｉｎ  Ｊ.Ｓｃｈｉｃｋ、Ｎｏｎｉｏｎｉｃ  Ｓｕｒｆａｃｔａｎｔｓ、１９および２３巻に記載されるように、本発明のリンス剤組成物に成分（ａ）として使用できる、適当な低発泡性非イオン界面活性剤を詳細に記載する。
【００２６】
本発明の透明リンス剤組成物は、成分ｃ）として非水性溶剤を含有する。
【００２７】
適当な非水性溶剤は、一価アルコールまたは多価アルコール、アルカノールアミン、またはグリコールエーテルであり、有利にエタノール、ｎ−プロパノール、イソプロパノール、１−ブタノール、２−ブタノール、エチレングリコール、プロパンジオール、ブタンジオール、グリセリン、ジグリコール、プロピルジグリコール、ブチルジグリコール、ヘキシレングリコール、エチレングリコールモノ−ｎ−ブチルエーテル、ジエチレングリコールメチルエーテル、ジエチレングリコールエチルエーテル、プロピレングリコールメチルエーテル、プロピレングリコールエチルエーテル、またはプロピレングリコールプロピルエーテル、ジプロピレングリコールメチルエーテル、ジプロピレングリコールエチルエーテル、メトキシトリグリコール、エトキシトリグリコール、ブトキシトリグリコール、１−ブトキシエトキシ−２−プロパノール、３−メチル−３−メトキシブタノール、プロピレングリコールｔ−ブチルエーテル、およびこれらの溶剤の２個以上の混合物である。
【００２８】
本発明の透明リンス剤組成物は成分ｄ）として可溶化剤（ヒドロトロープ）を含有する。
【００２９】
適当な可溶化剤はＣ１〜Ｃ５アルキルにより１〜５箇所置換されたベンゼンスルホネート、例えばトルエンスルホネート、クメンスルホネート、またはキシレンスルホネート、ジヘキシルスルホスクシネート、および短鎖アルキルスルフェートである。適当な可溶化剤は米国特許第３５６３９０１号および米国特許第４４４３２７０号に記載されている。
【００３０】
本発明の透明リンス剤組成物は成分ｅ）として酸性化剤を含有する。
【００３１】
適当な酸性化剤は有機酸または無機酸、有利に固体のモノカルボン酸、オリゴカルボン酸、またはポリカルボン酸、またはスルホン酸であり、例はクエン酸、酒石酸、コハク酸、マロン酸、アジピン酸、マレイン酸、フマル酸、蓚酸、ポリアクリル酸、アミドスルホン酸、その混合物であり、１つの例はコハク酸、グルタル酸およびアジピン酸の混合物であり、商標名Ｓｏｋａｌａｎ（登録商標）ＤＣＳとして、ＢＡＳＦ社から販売されている。
【００３２】
本発明の透明リンス剤組成物は成分ｆ）として他の添加剤、例えばアニオン界面活性剤、カチオン界面活性剤、両性イオン界面活性剤、または両親媒性界面活性剤、染料、芳香剤、および腐食防止剤を含有できる。
【００３３】
適当なアニオン界面活性剤の例はアルキル硫酸ナトリウム、アルキル硫酸カリウム、特にＣ８〜Ｃ１８アルコールの硫酸処理により得られるもの、例えば獣脂油またはやし油のグリセリドから得られるものを含む。他の例はアルキル鎖中に９〜１５個の炭素原子を有するアルキルベンゼンスルホン酸ナトリウムおよびアルキルベンゼンスルホン酸カリウムであり、アルキル基中に１１〜１３個の炭素原子を有する直鎖状アルキルベンゼンスルホネートが特に有利である。
【００３４】
他の適当なアニオン界面活性剤はアルキルグリセリルエーテルスルホネート、特に獣脂油またはやし油から得られる高級アルコールのエーテルのスルホネート、およびやし油脂肪酸モノグリセリドのスルホネートおよびスルフェート、１〜１０個のエチレンオキシド単位およびアルキル基に８〜１２個の炭素原子を有するアルキルフェノールエーテルスルフェート、１〜２５個のエチレンオキシド単位およびアルキル基に１０〜２０個の炭素原子を有するアルキルエーテルスルフェートおよび脂肪酸アルキル基に６〜２０個の炭素原子を有し、エステル基に１〜１０個の炭素原子を有するα−スルホン化脂肪酸エステルおよびアルキル基に９〜２３個の炭素原子を有し、アシル基に８〜２０個の炭素原子を有する２−アシルオキシアルカンスルホン酸である。
【００３５】
特に有利なアニオン界面活性剤はＣ１１〜Ｃ１３−アルキルベンゼンスルホネートのアルカリ金属塩、Ｃ１２〜Ｃ１８−アルキルスルフェートおよび１〜１０モルのエチレンオキシドを有するＣ１２〜Ｃ１８−アルキルエーテルスルフェートである。
【００３６】
他の適当なアニオン界面活性剤はスルホコハク酸と脂肪アルコールまたはエトキシル化脂肪アルコールのモノエステルおよび／またはジエステルであるスルホスクシネートである。有利なスルホスクシネートはＣ８〜Ｃ１８−脂肪アルコール残基を有する。適当なアニオン界面活性剤は石けんを含み、例はラウリン酸、ミリスチン酸、パルミチン酸、ステアリン酸、水素化エルカ酸、ベヘン酸の塩であり、天然脂肪酸混合物、例えばココヤシ核または獣脂脂肪酸から誘導される混合物である。
【００３７】
石けんを含むアニオン界面活性剤はナトリウム塩、カリウム塩またはアンモニウム塩の形でおよびモノエタノールアミン、ジエタノールアミンまたはトリエタノールアミンのような有機塩基の可溶性塩として存在することができ、有利にナトリウム塩、カリウム塩、特にナトリウム塩の形で存在する。
【００３８】
本発明を以下の実施例により説明する。
【００３９】
透明なリンス効果を試験するために、試験すべきコポリマーを透明リンス組成物に混合した。標準条件下で、３°ｄＨ（ドイツ硬度）で、ＩＫＷバラスト汚れを添加して、ＳＯＥＦＷ  Ｊｏｕｒｎａｌ、Ｖｏｌｕｍｅ１２４、１４／９８、１０２９頁により、主洗浄サイクルおよび透明リンスサイクル中で試験を実施した。
【００４０】
使用した洗剤は以下の組成であった。
トリポリ燐酸ナトリウム（Ｎａ３Ｐ３Ｏ１０・６Ｈ２Ｏ）  ５０質量％
炭酸ナトリウム  ２７質量％
二珪酸ナトリウム（ｘＮａ２Ｏ・ｙＳｉＯ２：ｘ／ｙ＝２.６５：８０％形）  ３質量％
過炭酸ナトリウム（Ｎａ２ＣＯ３・１.５Ｈ２Ｏ）  ６質量％
テトラアセチレンジアミン（ＴＡＥＤ）  ２質量％
脂肪アルコールアルコキシレートベース低発泡性非イオン界面活性剤  ２質量％
脂肪アルコールアルコキシレートベース低発泡性非イオン界面活性剤  ３質量％
硫酸ナトリウム  ５質量％
ポリアクリル酸ナトリウム塩（Ｍｗ８０００）  ２質量％。
【００４１】
コポリマーを以下の透明リンス組成物に使用した。
脂肪アルコールアルコキシレートベース低発泡性非イオン界面活性剤  ２０質量％
ヒドロトロープ（クメンスルホネート）  １０質量％
イソプロパノール  ５質量％
コポリマー  ４質量％
水  ６１質量％。
【００４２】
以下のコポリマー１〜３を試験した。
ポリマー１：分子量１２０００ｇ／モルを有するマレイン酸とジイソブテンの質量比５１：４９のコポリマー、
ポリマー２：分子量３０００ｇ／モルを有する無水マレイン酸、イソブテンおよびＣ１８オレフィンの質量比６５：２６：９のコポリマー、
ポリマー３：分子量４０００ｇ／モルを有するマレイン酸とイソブテンの質量比６８：３２のコポリマー。
【００４３】
以下の条件下で洗浄試験を実施した。
食器洗い機：ＭｉｅｌｅＧ６８６ＳＣ
洗浄サイクル：１洗浄サイクル５５℃標準（前リンスなし）
食器：ナイフ（ＷＭＦテーブルナイフ、Ｂｅｒｌｉｎ、ｍｏｎｏｂｌｏｃ）、グラス（Ｗｉｌｌｙ  Ｂｅｃｈｅｒ、０.３リットル）、黒いプラスチック板、黒いサイドプレート：ＥＭＳＡ  Ｓｕｐｅｒｌｉｎｅ  ｂｏｘ（ふた青いＰＥ、本体透明ＰＰ）
洗剤：２１ｇ
バラスト汚れ：主洗浄で５０ｇ、透明リンスで２ｇ
透明リンス温度：６５℃
リンス助剤の供給量：１ｇ
水硬度：３°ｄＨ（ドイツ硬度、ＣａＣＯ３５３ｍｇ／水１ｋｇに相当する）
【００４４】
洗浄サイクルが終了後、ドアを開放し、食器洗い機のドアを開放して６０分間食器を乾燥した。引き続き食器を、黒い被膜を有し、ハロゲンスポットライトおよび穿孔プレートを装備した明るい箱中で、０（きわめて劣る、きわめて激しい皮膜形成、きわめて激しい汚れ形成、表面の５０％より多くが汚れで覆われた）から４（きわめて良好、皮膜形成なし、汚れなし）までの評価尺度を使用して、目視により評価した。
【００４５】
結果を以下の表に記載する。
【００４６】
【表１】
2008512532.tif 000003
【手続補正書】
【提出日】平成19年3月13日(2007.3.13)
【手続補正１】
【補正対象書類名】特許請求の範囲
【補正対象項目名】全文
【補正方法】変更
【補正の内容】
【特許請求の範囲】
【請求項１】
成分として、
ａ）以下の
ａ１）マレイン酸、無水マレイン酸、アクリル酸、メタクリル酸、フマル酸、イタコン酸およびシトラコン酸からなる群からの少なくとも１種のモノマー３０〜７０質量％、
ａ２）イソブテン、ジイソブテン、ブテン、ペンテン、ヘキセンおよびスチレンからなる群から選択される少なくとも１種の他のモノマー１０〜５０質量％、
ａ３）１−デセン、１−ドデセン、１−テトラデセン、１−ヘキサデセン、１−オクタデセン、１−エイコセン、１−ドコセン、１−テトラコセン、１−ヘキサコセン、平均して１２〜１００個の炭素原子を有するポリイソブテンおよび反応性ポリイソブテンからなる群から選択される少なくとも１種の他のモノマー５〜２０質量％
からなるコポリマー１〜２０質量％、
ｂ）低発泡性非イオン界面活性剤１〜３０質量％、
ｃ）非水性溶剤０〜５０質量％、
ｄ）可溶化剤０〜１５質量％、
ｅ）酸性化剤０〜１５質量％、
ｆ）アニオン界面活性剤、カチオン界面活性剤、両性イオン界面活性剤および両親媒性界面活性剤、染料、芳香剤および腐食防止剤のような１種以上の他の添加剤０〜１０質量％、
ｇ）水を含有し、合計して１００質量％になる、食器洗い機用のリンス剤組成物。
【請求項２】
コポリマーａ）においてモノマーａ１）がマレイン酸、無水マレイン酸、およびアクリル酸からなる群から選択され、モノマーａ２）がイソブテン、ジイソブテン、およびスチレンからなる群から選択され、モノマーａ３）が１−ドデセン、１−オクタデセン、Ｃ２２α−オレフィン、Ｃ２０〜Ｃ２４α−オレフィンの混合物および平均して１２〜１００個の炭素原子を有するポリイソブテンからなる群から選択される請求項１記載のリンス剤組成物。
【請求項３】
請求項１記載のコポリマーａ）を、食器洗い機用組成物のためのリンス剤または洗剤に添加する工程を有する、食器洗い機中で食器上の汚れ形成および沈積物を減少する方法。
【国際調査報告】
2008512532.tif 000005
2008512532.tif 000006
2008512532.tif 000007
2008512532.tif 000008
2008512532.tif 000009
2008512532.tif 000010
2008512532.tif 000011
2008512532.tif 000012